(57)【要約】【課題】高速道路の中央分離帯など、特に、橋梁上やトンネル内において、車両及び搭乗者に大きな損傷を与えずに、対向車線や路側帯への車両の進入を防止することができる標識柱を提供する。【解決手段】円筒状の弾性材料からなり、内部に発泡材６が充填されている標識柱本体５と、標識柱本体５を立設する台座４とを備え、台座４の下部には、下方に突出するネジ部材１が設けられ、ネジ部材１は、金属材料からなり、上部接合部１ｂと、埋設管２の内周接合部２ａに螺合固定される下部接合部１ａと、上部接合部１ｂと下部接合部１ａとの間に設けられ、台座４の底面に設けられた貫通孔４ａに貫通する中間部１ｃとが一体的に形成され、標識柱本体５の内部には、台座４から上方に向かって円筒状の鋼管３が延出しており、鋼管３の下部は、ネジ部材１の上部接合部１ｂの外周に固定されていることを特徴とする。【選択図】図１
2019019608.tif 000002
【特許請求の範囲】
【請求項１】
円筒状の弾性材料からなり、内部に発泡材が充填されている標識柱本体と、該標識柱本体を立設する台座とを備え、
該台座の下部には、下方に突出するネジ部材が設けられ、
該ネジ部材は、金属材料からなり、上部接合部と、埋設管の内周接合部に螺合固定される下部接合部と、前記上部接合部と前記下部接合部との間に設けられ、前記台座の底面に設けられた貫通孔に貫通する中間部とが一体的に形成され、
前記標識柱本体の内部には、前記台座から上方に向かって円筒状の鋼管が延出しており、
該鋼管の下部は、前記ネジ部材の上部接合部の外周に固定されていることを特徴とする道路標識柱。
【請求項２】
前記鋼管の下部は、前記ネジ部材の上部接合部の外周に溶接により固定されていることを特徴とする請求項１記載の道路標識柱。
【請求項３】
前記鋼管は、前記台座から上方に向かって、前記標識柱本体の中間位以下まで延出していることを特徴とする請求項１又は２記載の道路標識柱。
【請求項４】
前記鋼管の内部に、前記発泡材が充填されていることを特徴とする請求項１、２又は３記載の道路標識柱。
【請求項５】
前記台座の底面と地表面との間に、挿通孔を有する金属材料からなる底面板を設け、
前記底面板の挿通孔に、前記ネジ部材の中間部が挿通されていることを特徴とする請求項１〜４のいずれかに記載の道路標識柱。
【発明の詳細な説明】
【技術分野】
【０００１】
本発明は、道路標識柱に関し、高速道路の中央分離帯など、特に、橋梁上やトンネル内において、車両及び搭乗者に大きな損傷を与えずに、対向車線や路側帯への車両の進入を防止することができる道路標識柱に関する。
【背景技術】
【０００２】
従来、鋼製パイプや、石柱、コンクリート柱などからなる道路標識柱が使用されている。これらは大きな剛性を有するため、これらに車両が衝突すると車両及び搭乗者が大きな損傷を被るという問題があった。
【０００３】
このような問題を解決するため、車両などが衝突すると屈曲して衝撃を吸収緩和できるようにした道路標識柱が提案されている（特許文献１）。
【０００４】
一方、高速道路の中央分離帯などにおいては、対向車線や路側帯への車両の進入を防止するため、ガードレールやガードワイヤが使用されている。
【先行技術文献】
【特許文献】
【０００５】
【特許文献１】特開２００６−０７０４６４号公報
【発明の概要】
【発明が解決しようとする課題】
【０００６】
特許文献１に記載された道路標識柱は、車両が衝突したときに、屈曲して衝撃を緩和するとともに車両を停止させることができるとしているが、高速走行して衝突した車両を停止させる程度の十分な剛性を有するとは言えない。この道路標識柱においては、中心部分の補強体は、ポリウレタン等の合成樹脂材料からなる台座によって支持されているので、高速走行車両の衝突力に対して十分に対抗することはできない。この道路標識柱は、時速５ｋｍ以下の小型車が接触した場合に、この小型車を停止させることを想定したものである。
【０００７】
ガードレールやガードワイヤは、高速道路の中央分離帯などにおいて、対向車線や路側帯への車両の進入を防止する効果がある。しかし、これらガードレールやガードワイヤは、それ自体の重量が大きいこともあって、十分な深さまで埋設された十分な太さを有する多数本の支柱（鉄柱）によって支持しなければならない。したがって、ガードレールやガードワイヤは、橋梁上やトンネル内に設置することが困難であった。
【０００８】
そこで、本発明の課題は、高速道路の中央分離帯など、特に、橋梁上やトンネル内において、車両及び搭乗者に大きな損傷を与えずに、対向車線や路側帯への車両の進入を防止することができる道路標識柱を提供することにある。
【０００９】
本発明の他の課題は、以下の記載によって明らかとなる。
【課題を解決するための手段】
【００１０】
上記課題は、以下の各発明によって解決される。
【００１１】
（請求項１）
円筒状の弾性材料からなり、内部に発泡材が充填されている標識柱本体と、該標識柱本体を立設する台座とを備え、
該台座の下部には、下方に突出するネジ部材が設けられ、
該ネジ部材は、金属材料からなり、上部接合部と、埋設管の内周接合部に螺合固定される下部接合部と、前記上部接合部と前記下部接合部との間に設けられ、前記台座の底面に設けられた貫通孔に貫通する中間部とが一体的に形成され、
前記標識柱本体の内部には、前記台座から上方に向かって円筒状の鋼管が延出しており、
該鋼管の下部は、前記ネジ部材の上部接合部の外周に固定されていることを特徴とする道路標識柱。
（請求項２）
前記鋼管の下部は、前記ネジ部材の上部接合部の外周に溶接により固定されていることを特徴とする請求項１記載の道路標識柱。
（請求項３）
前記鋼管は、前記台座から上方に向かって、前記標識柱本体の中間位以下まで延出していることを特徴とする請求項１又は２記載の道路標識柱。
（請求項４）
前記鋼管の内部に、前記発泡材が充填されていることを特徴とする請求項１、２又は３記載の道路標識柱。
（請求項５）
前記台座の底面と地表面との間に、挿通孔を有する金属材料からなる底面板を設け、
前記底面板の挿通孔に、前記ネジ部材の中間部が挿通されていることを特徴とする請求項１〜４のいずれかに記載の道路標識柱。
【発明の効果】
【００１２】
本発明は、高速道路の中央分離帯など、特に、橋梁上やトンネル内において、車両及び搭乗者に大きな損傷を与えずに、対向車線や路側帯への車両の進入を防止することができる道路標識柱を提供することができる。
【図面の簡単な説明】
【００１３】
【図１】本発明の実施形態の道路標識柱の縦断面図
【図２】図１に示した道路標識柱のネジ部材及び鋼管を示す平面図（ａ）及び正面図（ｂ）
【図３】図１に示した道路標識柱を示す平面図（ａ）及び正面図（ｂ）
【図４】図１に示した道路標識柱の設置状態の要部の縦断面図
【発明を実施するための形態】
【００１４】
以下、本発明の実施の形態について、図面を参照しながら説明する。
【００１５】
図１は、本発明の実施形態の道路標識柱の縦断面図である。図２は、図１に示した道路標識柱のネジ部材及び鋼管を示す平面図（ａ）及び正面図（ｂ）である。
【００１６】
この道路標識柱１０は、図１及び図２に示すように、金属性のネジ部材１を有している。このネジ部材１は、下部を下部接合部１ａ、上部を上部接合部１ｂ、下部接合部１ａと上部接合部１ｂとの間には中間部１ｃが設けられ、これらが一体的に形成されている。後述するように、この道路標識柱１０の使用状態においては、下部接合部１ａが地中で支持されている。
【００１７】
ネジ部材１の下部接合部１ａは、埋設管２の内周接合部２ａと螺合固定される。例えば、ネジ部材１の下部接合部１ａの外周に雄ネジを形成し、埋設管２の内周接合部２ａに雌ネジを形成し、雄ネジと雌ネジとが螺合されることによって、ネジ部材１と埋設管２に螺合固定される。埋設管２は、後述するように、この道路標識柱１０の使用状態においては、地中に埋設されて固定され、ネジ部材１を支持する。
【００１８】
鋼管３は、後述する台座４の上方に向かって延出している。鋼管３は、例えば、金属材料からなり、図２（ａ）に示すように、円筒状の管である。なお、鋼管３の材料及び肉厚は、鋼管３の剛性を規定するうえで重要である。鋼管３の材料及び肉厚は、車両の進入を阻止できる程度の所望の剛性が得られるように適宜定めることができる。
【００１９】
鋼管３の下部は、ネジ部材１の上部接合部１ｂの外周に固定されている。ネジ部材１の上部接合部１ｂと鋼管３との固定方法としては、溶接により強固に固定することが好ましい。これにより、ネジ部材１と鋼管３とを一体部材として形成することができる。
【００２０】
鋼管３の上部は、後述する標識柱本体５の高さ方向に向かって、中間位以下まで延在されていることが好ましい。鋼管３の長さは、例えば、３００ｍｍ〜６００ｍｍ程度で、標識柱本体５の高さの約半分程度の高さであることが好ましい。特に大型車の衝突が想定される箇所で用いる場合には、鋼管３の長さは、大型車の進入を阻止できる程度の必要十分な長さにすることが好ましい。
【００２１】
台座４は、ネジ部材１の周囲を囲むように、配置されている。台座４は、例えばポリウレタンなどの弾性材料から、略円盤状に形成されている。台座の底面には、中央部にネジ部材１が貫通するための貫通孔４ａが形成されている。つまり、台座４は、貫通孔４ａに、ネジ部材１の下部接合部１ａを下方に突出させ、中間部１ｃが貫通されて、ネジ部材１の周囲に配置される。なお、台座４をなす材料は、特に限定されない。
【００２２】
標識柱本体５は、弾性材料からなる円筒状に形成され、内部には、鋼管３が設けられ、この鋼管３を覆うように設けられている。標識柱本体５の内径は、鋼管３の外径の２倍程度となっている。
【００２３】
標識柱本体５をなす弾性材料は、例えばポリウレタンなどの弾性樹脂材することが好ましい。
【００２４】
標識柱本体５は、台座４に立設されている。標識柱本体５の下部は、台座４に設けられた溝に嵌め込み、これを接着等によって接合されている。標識柱本体５は、鋼管３の２倍程度の長さ（例えば、６００ｍｍ〜１２００ｍｍ）を有していることが好ましい。したがって、標識柱本体５の上端は、鋼管３の上端よりも２倍程度の高さに達している。
【００２５】
標識柱本体５中には、発泡体６が充填される。発泡体６は、例えば、半硬質発泡ポリウレタンであるが、その材料はこれに限定されない。発泡体６は、液体の状態で標識柱本体５の上端部から標識柱本体５中に注入され、標識柱本体５中において発泡して固化したものである。
【００２６】
標識柱本体５中に発泡体６を充填するにあたっては、液体の発泡材料を標識柱本体５の上端部から標識柱本体５中に注入し、標識柱本体５の上端部をキャップ７によって閉蓋してから標識柱本体５の上下を逆転させ、発泡材料を標識柱本体５の上端側に寄せた状態で固化させる。このようにして発泡材料を固化させることにより、標識柱本体５中の上端側に空隙を形成せずに発泡体６を充填することができる。
【００２７】
キャップ７は、例えばポリエチレンから略円盤状に形成され、下面部に、標識柱本体５の上端部が嵌合する円環溝７ａが形成されている。なお、キャップ７の材料は、特に限定されない。
【００２８】
道路標識柱１０は、台座４の底面と、地表面との間に、底面板８を設けてもよい。底面板８は、金属材料からなり、円盤状に形成されている。底面板８は、中央部にネジ部材１が挿通される挿通孔８ａを有し、この挿通孔８ａにネジ部材１の中間部１ｃが挿通し、ネジ部材１の周囲の地表面（路面）上に設置される。底面板８は、地表面（路面）と台座４の底面との間に介在して配置される。
【００２９】
なお、ネジ部材１の中間部１ｃ及び底面板８の挿通孔８ａが、密に挿通していてもよい。また、ネジ部材１の中間部１ｃ及び底面板８が、一体的に接合（例えば、溶接や接着）してもよい。
【００３０】
近年、道路表面を覆うアスファルトは、雨天時の視認性及び走行性の確保のため、水捌けの良い高性能アスファルトであることが覆い。高性能アスファルトは、アスファルト粒径を大きくして密度を下げ、路面の雨水を地中に染みこませるようになっており、従来の密粒タイプのアスファルトよりも脆い。
【００３１】
このような脆い高性能アスファルトの路面上に道路標識柱１０を設置すると、標識柱本体５を倒す力が加わったときには、ネジ部材１を支持する埋設管２に、標識柱本体５を倒す力が伝搬され、埋設管２の周囲の路面が掘り返され、道路標識柱１０が倒れてしまうおそれがある。この場合に、底面板８を設けることによって、埋設管２に伝わる力を、底面板８に分散することができる。高性能アスファルトの路面上に設置した場合であっても、ネジ部材１から埋設管２に伝わる力の一部が、底面板８に分散されることによって、路面を掘り返される力の一部を底面板８が受ける。そして底面板８は、下面全面で力を受けることになるので、路面に対して働く力が下面全面に分散される。これにより、路面を掘り返して道路標識柱１０が倒れることを防止することができる。
【００３２】
さらに、ネジ部材１の中間部１ｃ及び底面板８の挿通孔８ａが、密に挿通していることによって、より確実に路面を掘り返して道路標識柱１０が倒れることを防止することができる。また、ネジ部材１の中間部１ｃ及び底面板８が、一体的に接合することによって、ネジ部材１の中間部１ｃ及び底面板８の挿通孔８ａが密に挿通している場合よりも、確実に路面を掘り返して道路標識柱１０が倒れることを防止することができる。
【００３３】
図３は、図１に示した道路標識柱を示す平面図（ａ）及び正面図（ｂ）である。
【００３４】
標識柱本体５の外周面には、図３に示すように、反射シート９を貼着することができる。反射シート９は、標識柱本体５の外周面の一箇所又は複数箇所に貼着することができる。また、反射シート９は、標識柱本体５の外周面の全周に亘って貼着してもよいし、特定の方向のみに貼着してもよい。
【００３５】
標識柱本体５の外周面には、反射シート９ではなく、反射塗料を塗布してもよい。標識柱本体５の外周面、反射シート９及び反射塗料の色は、グレー又は金属色とすることが好ましい。従来の緑色や赤色の道路標識柱は、車両の衝突に対して殆ど抵抗力を有しない柔らかいものであると広く認識されているため、対向車線や路側帯への車両の進入を防止する道路標識柱１０は、従来の道路標識柱と区別するために、グレー又は金属色とすることが好ましい。
【００３６】
また、この道路標識柱１０において、標識柱本体５の直径は、従来の道路標識柱と区別するために、従来の道路標識柱の直径よりも大きくし、１３５ｍｍ程度とすることが好ましい。
【００３７】
図４は、図１に示した道路標識柱の設置状態の要部の縦断面図である。
【００３８】
この道路標識柱１０を地表面（路面）上に設置するには、図４に示すように、地表面１０１から地中１０２に円形の支持孔１０３を穿設する。支持孔１０３の直径は、埋設管２の外径よりも僅かに大きい径とすることが好ましく、例えば、６０ｍｍ〜１００ｍｍ程度である。この支持孔１０３内には、接着剤１０４を充填する。支持孔１０３内の接着剤１０４中に、埋設管２を埋設し、接着剤１０４を固化させる。支持孔１０３内で接着剤１０４により固着されて埋設された埋設管２の内周接合部２ａに対して、ネジ部材１の下部接合部１ａを螺合させることにより、道路標識柱１０が設置される。なお、地表面１０１の道路標識柱１０が設置される箇所には、路側帯を示す白線１０５が引かれていることがある。
【００３９】
本実施形態において、より好ましい設置方法としては、ネジ部材１に埋設管２を螺合させた状態、すなわち、埋設管２まで含めて道路標識柱１０の組立を完了した状態で、支持孔１０３内の接着剤１０４中に埋設管２を埋設し、接着剤１０４を固化させる。
【００４０】
いずれの場合でも、後に埋設管２からネジ部材１の下部接合部１ａを外すことにより、埋設管２を支持孔１０３内に残したままで、道路標識柱１０を地表面１０１から取り外すことができる。
【００４１】
このように設置された道路標識柱１０は、高速道路の中央分離帯などに複数本が配列されて設置されることにより、対向車線や路側帯への車両の進入を防止する効果がある。
【００４２】
すなわち、この道路標識柱１０は、ネジ部材１と鋼管３とが十分な強度で固定されており、ネジ部材１が十分な強度で支持孔１０３中で支持されることにより、標識柱本体５に走行車両が衝突したときには、鋼管３が車両の衝突力に抗して立設状態を維持しようとし、屈曲変形、破砕又は倒伏する過程で、衝突力を吸収する。
【００４３】
鋼管３の倒伏は、鋼管３のネジ部材１の近傍における屈曲変形又は破砕によって起こる。衝突した走行車両は、複数本の道路標識柱１０の鋼管３を屈曲変形させ、又は破砕し、倒伏させる過程で、運動エネルギーを消費し、また、運動方向を曲げられるので、対向車線や路側帯への進入を阻止される。
【００４４】
また、標識柱本体５及び発泡体６の弾性力により、衝突した走行車両側の損傷は、最小限度に抑えられる。
【００４５】
底面板８を設けた場合には、路面を掘り返して道路標識柱１０が倒れることを防止し、鋼管３の変形及び倒伏に要する力は、想定された所望の力となる。
【００４６】
また、支持孔１０３の直径を従来よりも大径の１００ｍｍ程度とした場合にも、支持孔１０３の周囲の崩壊によって道路標識柱１０が倒れることを防止し、鋼管３の変形及び倒伏に要する力を、想定された所望の力とすることができる。
【００４７】
この道路標識柱１０は、設置のために穿設する支持孔１０３の深さが、例えば、６０ｍｍ〜１００ｍｍ程度と浅くてよいので、橋梁上やトンネル内にも設置することができる。
【００４８】
このように、本発明は、高速道路の中央分離帯など、特に、橋梁上やトンネル内において、車両及び搭乗者に大きな損傷を与えずに、対向車線や路側帯への車両の進入を防止することができる道路標識柱１０を提供することができる。
【符号の説明】
【００４９】
１  ネジ部材
１ａ  下部接合部
１ｂ  上部接合部
１ｃ  中間部
２  埋設管
２ａ  内周接合部
３  鋼管
４  台座
４ａ  貫通孔
５  標識柱本体
６  発泡体
７  キャップ
７ａ  円環溝
８  底面板
８ａ  挿通孔
９  反射シート
１０  道路標識柱
１０１  地表面
１０２  地中
１０３  支持孔
１０４  接着剤
１０５  白線
【図１】
2019019608.tif 000003
【図２】
2019019608.tif 000004
【図３】
2019019608.tif 000005
【図４】
2019019608.tif 000006